(57)【要約】【課題】点検や修繕工事等に伴ってスイッチギヤを停電する必要が生じた場合に、スイッチギヤに接続された顧客用地中線に移動用変圧器等の移動ケーブルを安全に短時間で接続することが可能なスイッチギヤ用電力仮供給箱とそれを用いた電力の仮供給方法を提供する。【解決手段】スイッチギヤ用電力仮供給箱１は、筐体２と仮扉３に加え、後面から筐体２の内部に差し込まれた移動ケーブル１０が後端に接続される接続ケーブル６と、この接続ケーブル６の先端に外挿される碍子７と、一端が顧客用地中線６３のケーブルヘッドに接続されるとともに他端に接続ケーブル６の先端が接続された長尺部材８を備えており、接続ケーブル６と碍子７は保持具９ａ，９ｂによって保持された状態で筐体２に固定されている。【選択図】図３
2020145879.tif 000002
【特許請求の範囲】
【請求項１】
第１の開口部を有する扉が取り付けられているスイッチギヤの内部に先端部を突出させるようにして設置された顧客用地中線に対し、三相交流電源に接続された３本の移動ケーブルを接続することにより顧客に電力を仮供給する際に用いられるスイッチギヤ用電力仮供給箱であって、
前面が開口するとともに３本の前記移動ケーブルがそれぞれ挿通される３つの貫通孔が後面に設けられた筐体と、
この筐体の内部に設置されて３本の前記移動ケーブルが後端にそれぞれ接続される３本の接続ケーブルと、
導電性を有するとともに前記顧客用地中線の前記先端部に設けられたケーブルヘッドと３本の前記接続ケーブルに対して、両端がそれぞれ接続可能に形成された３本の長尺部材と、を備えていることを特徴とするスイッチギヤ用電力仮供給箱。
【請求項２】
扉が取り付けられているスイッチギヤの内部に先端部を突出させるようにして設置された顧客用地中線に対し、三相交流電源に接続された３本の移動ケーブルを接続することにより顧客に電力を仮供給する際に用いられるスイッチギヤ用電力仮供給箱であって、
前面が開口するとともに３本の前記移動ケーブルがそれぞれ挿通される３つの貫通孔が後面に設けられた筐体と、
この筐体の内部に設置されて３本の前記移動ケーブルが後端にそれぞれ接続される３本の接続ケーブルと、
導電性を有するとともに前記顧客用地中線の前記先端部に設けられたケーブルヘッドと３本の前記接続ケーブルに対して、両端がそれぞれ接続可能に形成された３本の長尺部材と、
前記筐体の前記前面に設置された仮扉と、を備え、
前記仮扉は、前記筐体の前面開口部に連通可能な第２の開口部を有するとともに、前記扉の代わりに前記スイッチギヤに対して取り付け可能に形成されていることを特徴とするスイッチギヤ用電力仮供給箱。
【請求項３】
３本の前記接続ケーブルの先端にそれぞれ設置される３つの碍子を備えていることを特徴とする請求項１又は請求項２に記載のスイッチギヤ用電力仮供給箱。
【請求項４】
３本の前記長尺部材は、金属製の平編組線が複数枚重ね合わされるようにして形成された可撓性を有する導体からなることを特徴とする請求項１乃至請求項３のいずれか１項に記載のスイッチギヤ用電力仮供給箱。
【請求項５】
３本の前記長尺部材は、導電性を有しネジ穴が設けられた板材からなる端子部が前記導体の両端にそれぞれ設けられていることを特徴とする請求項４に記載のスイッチギヤ用電力仮供給箱。
【請求項６】
請求項１に記載されたスイッチギヤ用電力仮供給箱を用いて顧客に電力を仮供給する方法であって、
前記スイッチギヤの前記筐体の前記扉に設けられた前記第１の開口部から前記スイッチギヤの内部に３本前記長尺部材を差し込んでその一端を前記顧客用地中線の前記ケーブルヘッドに接続することを特徴とする電力の仮供給方法。
【請求項７】
請求項２に記載されたスイッチギヤ用電力仮供給箱を用いて顧客に電力を仮供給する方法であって、
前記スイッチギヤの前記筐体の前記扉を取り外して前記第２の開口部を有する前記仮扉を前記スイッチギヤに取り付けるとともに、前記仮扉の前記第２の開口部から前記スイッチギヤの内部に３本の前記長尺部材を差し込んでその一端を前記顧客用地中線の前記ケーブルヘッドに接続することを特徴とする電力の仮供給方法。
【発明の詳細な説明】
【技術分野】
【０００１】
本発明は、スイッチギヤに移動ケーブルを介して移動用変圧器や移動発電機車などから電力を仮供給する仮供給箱とそれを用いた電力の仮供給方法に係り、特に、既設のスイッチギヤに対して移動ケーブルを接続することが可能なスイッチギヤ用仮供給箱及び電力の仮供給方法に関する。
【背景技術】
【０００２】
発電所において発電された電力は、いくつかの変電所で降圧された後、各需要地に送られるが、変電所や需要地には、スイッチギヤと呼ばれる配電設備が設置されている。スイッチギヤは、電力の開閉や制御などの機能を有する閉鎖型の配電盤であり、接地された金属製の筐体の内部に、遮断器や断路器などが単位回路区分ごとに仕切られた状態で収納された構造となっている。
【０００３】
ここで、スイッチギヤの構造について図６を用いて説明する。なお、図６（ａ）は、変電所に設置されている一般的なスイッチギヤの構造を示した図であり、図６（ｂ）は顧客用地中線の接続部分の外観を示した図である。
図６（ａ）に示すように、スイッチギヤ５２は、略直方体をなし、前後に扉が取り付けられた筐体の内部に４つの隔室５３ａ〜５３ｄが設けられた構造となっている。そして、４つの隔室５３ａ〜５３ｄを横断するように母線５４が設置されている。
また、隔室５３ａには、配電線５０の電力の降圧を行う主変圧器５１の二次側と母線５４の間に介設される遮断器５５と、母線５４に接続される避雷器５６が収納されており、隔室５３ｂには、計器用変成器５７が収納されている。
【０００４】
隔室５３ｃには、電源側断路器５８ａ及び負荷側断路器６０ａと、それらの間に設置された遮断器５９ａが収納されており、隔室５３ｄには、電源側断路器５８ｂ及び負荷側断路器６０ｂと、それらの間に設置された遮断器５９ｂが収納されている。また、電源側断路器５８ａは３相電力ケーブル６１ａを介して母線５４に接続されており、負荷側断路器６０ａは架空線６２に接続されている。そして、電源側断路器５８ｂは３相電力ケーブル６１ｂを介して母線５４に接続されており、負荷側断路器６０ｂは顧客用地中線６３に接続されている。
【０００５】
図６（ｂ）に示すように、隔室５３ｄには、筐体の底板６６に３つの碍子６４が立設されており、スイッチギヤ５２の筐体の底板６６に設けられたケーブル挿通孔（図示せず）を通して隔室５３ｄの内部に先端部が差し込まれた顧客用地中線６３は、底板６６から略垂直に立ち上がるような状態で３相に対応する３本の線が３つの碍子６４によってそれぞれ支持されている。また、顧客用地中線６３の先端部に設けられたケーブルヘッド６３ａは、銅帯６５を介して負荷側断路器６０ｂに接続されている。
【０００６】
図６（ａ）に示したスイッチギヤ５２において、主変圧器５１が故障した場合、移動用変圧器を配電線５０と遮断器５５の間に設置することにより、配電線５０の電力が移動変圧器で降圧されてスイッチギヤ５２に供給される。そのため、スイッチギヤ５２は移動用変圧器のケーブルを接続できる構造となっている。
【０００７】
移動用変圧器のケーブルをスイッチギヤに接続することに関し、例えば、特許文献１には、「ケーブル接続装置」という名称の発明が開示されている。
特許文献１に開示された発明は、スイッチギヤ内の回路の接続端子に移動機器に繋がるケーブルを接続するための接続端子を有するとともに、スイッチギヤの引出式遮断器の代わりに、その引出式遮断器の収容位置に配置可能な構造となっている。
このような構造によれば、スイッチギヤから引出式遮断器を引き出して、その代わりにケーブル接続装置を収容するだけで、移動機器がスイッチギヤ内の回路に接続されるため、移動機器のケーブルをスイッチギヤに接続する作業を短時間に行うことができる。
【０００８】
また、特許文献２には、「スイッチギヤ」という名称で、外線ケーブルのケーブル室内への引き込みが容易な金属閉鎖型の筐体を備えたスイッチギヤに関する発明が開示されている。
特許文献２に開示された発明は、ケーブル室を囲む床板に設けられた床面開口部と、ケーブル室を囲む背面側の側壁に設けられた背面開口部がフレームを介さずに一体化された断面Ｌ字状の開口部が筐体に設けられるとともに、この開口部を覆うように断面Ｌ字状のＬ字型カバーが取り付けられた構造となっている。
このような構造によれば、Ｌ字型カバーを取り外すだけで、外線ケーブルをケーブル室に容易に引き込むことができる。また、ケーブル室内の端子と外線ケーブルを接続した後は、カバーを取り付けるだけで据付作業が完成するため、外線ケーブルの接続作業に要する時間の短縮化を図ることができる。
【先行技術文献】
【特許文献】
【０００９】
【特許文献１】特開２０１６−１２３１７８号公報
【特許文献２】特開２０１６−２２０４８６号公報
【発明の概要】
【発明が解決しようとする課題】
【００１０】
上述の従来技術である特許文献１に開示された発明は、引出式遮断器を備えているスイッチギヤ以外には適用できないという課題があった。また、スイッチギヤによって引出式遮断器のサイズが異なる場合には、スイッチギヤごとにケーブル接続装置を作らなければならず、汎用性に乏しいという課題もあった。
なお、スイッチギヤに顧客に対する専用線が接続されている場合、スイッチギヤ本体を長期間にわたって停電することは困難であるため、スイッチギヤ本体を迂回して顧客に電力を供給するための線路を確保しなければならない。そして、顧客に対する専用線が地中線である場合には移動用変圧器等の移動ケーブルを接続することは容易でない。特許文献１に開示された発明は、この点について全く考慮されていない。したがって、特許文献１に開示された発明においては、スイッチギヤの点検や修繕工事に伴って、スイッチギヤ本体を迂回して顧客用地中線に移動用変圧器等のケーブルを接続する必要が生じた場合には、適用できないという課題があった。
【００１１】
特許文献２に開示された発明は、スイッチギヤの筐体に特殊な形状の開口部を設けることを特徴とするものであるため、既設のスイッチギヤに適用する場合には、筐体を改造しなければならず、移動機器のケーブルを接続する作業を短時間で行うことができないばかりか、その作業コストが高くなってしまうという課題があった。
【００１２】
本発明は、このような従来の事情に対処してなされたものであり、点検や修繕工事等に伴ってスイッチギヤを停電する必要が生じた場合に、スイッチギヤに接続された顧客用地中線に移動用変圧器等の移動ケーブルを安全に短時間で接続することが可能なスイッチギヤ用電力仮供給箱とそれを用いた電力の仮供給方法を提供することを目的とする。
【課題を解決するための手段】
【００１３】
上記目的を達成するため、第１の発明は、第１の開口部を有する扉が取り付けられているスイッチギヤの内部に先端部を突出させるようにして設置された顧客用地中線に対し、三相交流電源に接続された３本の移動ケーブルを接続することにより顧客に電力を仮供給する際に用いられるスイッチギヤ用電力仮供給箱であって、前面が開口するとともに３本の移動ケーブルがそれぞれ挿通される３つの貫通孔が後面に設けられた筐体と、この筐体の内部に設置されて３本の移動ケーブルが後端にそれぞれ接続される３本の接続ケーブルと、導電性を有するとともに顧客用地中線の先端部に設けられたケーブルヘッドと３本の接続ケーブルに対して、両端がそれぞれ接続可能に形成された３本の長尺部材と、を備えていることを特徴とするものである。
【００１４】
このような構造のスイッチギヤ用電力仮供給箱においては、移動機器に接続された３本の移動ケーブルを３本の接続ケーブルにそれぞれ接続するとともに、３本の長尺部材の両端を顧客用地中線のケーブルヘッドと３本の接続ケーブルに対してそれぞれ接続すると、移動機器と顧客用地中線が電気的に接続されるという作用を有する。
また、筐体は、顧客用地中線に電力を供給する際に、作業者や小動物等が移動ケーブルや接続ケーブルあるいは長尺部材に接触して感電することを防ぐという作用を有する。
【００１５】
第２の発明は、扉が取り付けられているスイッチギヤの内部に先端部を突出させるようにして設置された顧客用地中線に対し、三相交流電源に接続された３本の移動ケーブルを接続することにより顧客に電力を仮供給する際に用いられるスイッチギヤ用電力仮供給箱であって、前面が開口するとともに３本の移動ケーブルがそれぞれ挿通される３つの貫通孔が後面に設けられた筐体と、この筐体の内部に設置されて３本の移動ケーブルが後端にそれぞれ接続される３本の接続ケーブルと、導電性を有するとともに顧客用地中線の先端部に設けられたケーブルヘッドと３本の接続ケーブルに対して、両端がそれぞれ接続可能に形成された３本の長尺部材と、筐体の前面に設置された仮扉と、を備え、仮扉は、筐体の前面開口部に連通可能な第２の開口部を有するとともに、上記扉の代わりにスイッチギヤに対して取り付け可能に形成されていることを特徴とするものである。
このような構造のスイッチギヤ用電力仮供給箱においては、スイッチギヤの筐体の扉に第１の開口部が設けられていない場合について、第１の発明と同様の作用が発揮される。
【００１６】
第３の発明は、第１の発明又は第２の発明において、３本の接続ケーブルの先端にそれぞれ設置される３つの碍子を備えていることを特徴とするものである。
このような構造のスイッチギヤ用電力仮供給箱においては、第１の発明又は第２の発明の作用に加え、３つの碍子によって、長尺部材が接続された接続ケーブルの先端付近に作業者や小動物等が接触して感電することが防止されるという作用を有する。
【００１７】
第４の発明は、第１の発明乃至第３の発明のいずれかにおいて、３本の長尺部材は、金属製の平編組線が複数枚重ね合わされるようにして形成された可撓性を有する導体からなることを特徴とするものである。
このような構造のスイッチギヤ用電力仮供給箱においては、長尺部材が可撓性を有することから、第１の発明乃至第３の発明のいずれかの発明の作用に加え、長尺部材の両端を顧客用地中線のケーブルヘッドと接続ケーブルの先端にそれぞれ固定する作業が容易になるという作用を有する。
【００１８】
第５の発明は、第４の発明において、３本の長尺部材は、導電性を有しネジ穴が設けられた板材からなる端子部が導体の両端にそれぞれ設けられていることを特徴とするものである。
このような構造のスイッチギヤ用電力仮供給箱においては、長尺部材の両端を顧客用地中線のケーブルヘッドと接続ケーブルの先端にそれぞれ固定する作業が容易になるという第４の発明の作用がより一層発揮される。
【００１９】
第６の発明は、第１の発明に係るスイッチギヤ用電力仮供給箱を用いて顧客に電力を仮供給する方法であって、スイッチギヤの筐体の扉に設けられた第１の開口部からスイッチギヤの内部に３本の長尺部材を差し込んでその一端を顧客用地中線のケーブルヘッドに接続することを特徴とするものである。
第６の発明においては、スイッチギヤの筐体の扉に第１の開口部が設けられている場合に発揮される第１の発明の作用が同様に発揮される。
【００２０】
第７の発明は、第２の発明に係るスイッチギヤ用電力仮供給箱を用いて顧客に電力を仮供給する方法であって、スイッチギヤの筐体の扉を取り外して第２の開口部を有する仮扉をスイッチギヤに取り付けるとともに、仮扉の第２の開口部からスイッチギヤの内部に３本の長尺部材を差し込んでその一端を顧客用地中線のケーブルヘッドに接続することを特徴とするものである。
第７の発明においては、スイッチギヤの筐体の扉に第１の開口部が設けられていない場合に発揮される第２の発明の作用が同様に発揮される。
【発明の効果】
【００２１】
以上説明したように、第１の発明では、筐体の扉に第１の開口部が設けられているスイッチギヤを点検や修繕工事等のために停電する必要が生じた場合であっても、スイッチギヤに接続された顧客用地中線と移動用変圧器等の移動ケーブルの接続作業が容易であり、しかも顧客用地中線と移動ケーブルの接続箇所に作業者や小動物等が接触して感電してしまうおそれがない。したがって、第１の発明によれば、顧客用地中線に移動機器等の移動ケーブルを接続して顧客に電力を仮供給する作業を短時間で安全に行うことができる。
【００２２】
第２の発明によれば、スイッチギヤの筐体の扉に第１の開口部が設けられていなくとも、その扉を仮扉に付け替えることで第１の発明と同様の効果が発揮される。この場合、既設の扉に第１の開口部に相当する開口部を新たにを設ける加工を施す必要がないため、移動機器等の移動ケーブルを顧客用地中線に接続する作業を短時間で安価に行うことができる。
【００２３】
第３の発明によれば、第１の発明又は第２の発明の効果に加えて、特に、顧客用地中線に移動機器等の移動ケーブルを接続して顧客に電力を仮供給する作業を安全に行うことができるという第１の発明の効果がより一層発揮される。
【００２４】
第４の発明によれば、長尺部材の取り付け作業が容易になるため、第１の発明乃至第３の発明のいずれかの発明の効果に加え、顧客用地中線と接続ケーブルを長尺部材を介して電気的に接続する作業を短時間に効率よく行うことができるという効果を奏する。
【００２５】
第５の発明によれば、長尺部材の取り付け作業が第４の発明よりもさらに容易になるため、顧客用地中線と接続ケーブルを長尺部材を介して電気的に接続する作業を短時間に効率よく行うことができるというという第４の発明の効果がより一層発揮される。
【００２６】
第６の発明によれば、スイッチギヤの筐体の扉に第１の開口部が設けられている場合に発揮される第１の発明の効果が同様に発揮される。
【００２７】
第７の発明によれば、スイッチギヤの筐体の扉に第１の開口部が設けられていない場合に発揮される第２の発明の効果が同様に発揮される。
【図面の簡単な説明】
【００２８】
【図１】本発明の実施の形態に係るスイッチギヤ用電力仮供給箱の外観の一例を示した斜視図である。
【図２】（ａ）は図１に示した仮扉の正面図であり、（ｂ）は図１におけるＡ方向矢視図である。
【図３】図１におけるＢ方向矢視図である。
【図４】（ａ）は図１におけるＣ方向矢視図であり、（ｂ）は同図（ａ）に示した導体の外観図である。
【図５】本発明の実施の形態に係る電力の仮供給方法の手順を示したフローチャートである。
【図６】（ａ）は変電所に設置されている一般的なスイッチギヤの構造を示した図であり、（ｂ）は顧客用地中線の接続部分の外観図である。
【発明を実施するための形態】
【００２９】
本発明に係るスイッチギヤ用電力仮供給箱の具体的な構造について図１乃至図４を用いて説明するとともに、本発明に係る電力の仮供給方法について図５を用いて説明する。ただし、図６を用いて既に説明した構成要素については、同一の符号を付すことにより、それらの説明を省略する。
【実施例】
【００３０】
図１は本発明の実施の形態に係るスイッチギヤ用電力仮供給箱の外観の一例を示した斜視図である。図２（ａ）は図１に示した仮扉の正面図であり、図２（ｂ）は図１におけるＡ方向矢視図である。また、図３は図１におけるＢ方向矢視図であり、図４（ａ）は図１におけるＣ方向矢視図である。そして、図４（ｂ）は図４（ａ）に示した導体の外観図である。なお、図１及び図２（ａ）では仮扉をスイッチギヤに取り付ける際に使用される蝶番の図示を省略し、図２（ｂ）では仮扉の図示を省略している。また、図３及び図４（ａ）ではスイッチギヤを破線で示すとともに、接続ケーブルを固定するためのブラケットの図示を省略している。
【００３１】
本発明のスイッチギヤ用電力仮供給箱１は、スイッチギヤ５２の内部にその先端部を突出させるようにして顧客用地中線６３が設置されている場合に、移動機器等の三相交流電源に接続された３本の移動ケーブルを顧客用地中線６３の先端部に設けられたケーブルヘッドに接続する際に用いられるものである。そして、スイッチギヤ用電力仮供給箱１は、図１に示すように、略直方体をなし、上面２ｃと側面２ｄ，２ｄ及び後面２ｂに平板状の蓋１２が着脱可能に取り付けられた筐体２と、ドアノブ３ａを有し、前述のスイッチギヤ５２の筐体の扉の代わりにスイッチギヤ５２の筐体に対して取り付け可能に形成された仮扉３を備えている。また、筐体２の後面２ｂの蓋１２には、上記移動ケーブルを挿通可能に貫通孔４ａが３か所に設けられている。
【００３２】
図２（ａ）に示すように、仮扉３はドアノブ３ａの下方に矩形状の開口部３ｂが設けられている。また、図２（ｂ）に示すように筐体２は、仮扉３の開口部３ｂと同一形状の開口部４ｂが前面２ａに設けられており、その内部には、後述する接続ケーブルを固定するための２つのブラケット５ａ，５ｂが幅方向（前後方向に直交する方向）へ水平に設置されている。なお、仮扉３は、開口部３ｂが開口部４ｂと連通するように筐体２の前面２ａに対して着脱可能に取り付けられている。
【００３３】
図３及び図４（ａ）に示すように、スイッチギヤ用電力仮供給箱１は、筐体２と仮扉３に加え、３つの貫通孔４ａを通して筐体２の内部に差し込まれた３本の移動ケーブル１０が後端にそれぞれ接続される３本の接続ケーブル６と、この３本の接続ケーブル６の先端にそれぞれ外挿される３つの碍子７と、両端が顧客用地中線６３のケーブルヘッド６３ａ（図６（ｂ）参照）と３本の接続ケーブル６の先端に対してそれぞれ接続可能に形成された３本の長尺部材８を備えている。
また、３本の接続ケーブル６と３つの碍子７は、保持具９ａ，９ｂによってそれぞれ保持されている。また、保持具９ａは図示しないブラケットを介して筐体２に固定されており、保持具９ｂはブラケット５ａ，５ｂを介して筐体２に固定されている。
【００３４】
このような構造のスイッチギヤ用電力仮供給箱１において、移動機器に接続された３本の移動ケーブル１０を３本の接続ケーブル６にそれぞれ接続するとともに、３本の長尺部材８の両端を顧客用地中線６３のケーブルヘッド６３ａと３本の接続ケーブル６に対してそれぞれ接続すると、移動機器と顧客用地中線６３が電気的に接続される。このとき、筐体２は、顧客用地中線６３への電力供給中に、作業者や小動物等が移動ケーブル１０や接続ケーブル６あるいは長尺部材８に接触して感電することを防ぐという作用を有する。特に、長尺部材８が接続された接続ケーブル６の先端付近については、３つの碍子７によって、作業者や小動物等が接触して感電することが防止される。
【００３５】
すなわち、筐体の扉に開口部が設けられていないスイッチギヤ５２を点検や修繕工事等のために停電する場合でも、スイッチギヤ用電力仮供給箱１を用いることで、スイッチギヤ５２に接続された顧客用地中線６３と移動用変圧器等の移動ケーブル１０の接続作業が容易になる。また、その際に顧客用地中線６３と移動ケーブル１０の接続箇所に作業者や小動物等が接触して感電してしまうおそれがない。さらに、スイッチギヤ５２の筐体の扉に開口部を設ける加工を施す必要がない。
したがって、スイッチギヤ用電力仮供給箱１によれば、顧客用地中線６３に移動機器等の移動ケーブル１０を接続して顧客に電力を仮供給する作業を安価に短時間で安全に行うことが可能である。
【００３６】
図４（ｂ）に示すように、３本の長尺部材８は、金属製の平編組線が数枚重ね合わされるようにして形成された導体８ａの両端に、導電性を有しネジ穴１１が設けられた板材からなる端子部８ｂ，８ｂがそれぞれ設けられた構造となっている。
このような構造によれば、長尺部材８が導電性に加えて可撓性を有することから、長尺部材８の両端を顧客用地中線６３のケーブルヘッド６３ａとケーブル１０の先端にそれぞれ固定する作業が容易になる。したがって、顧客用地中線６３と接続ケーブル１０を長尺部材８を介して電気的に接続する作業を短時間に効率よく行うことができる。
なお、長尺部材８は上記構造に限定されるものではない。例えば、長尺部材８は薄肉の銅帯によって形成されたものであっても良い。この場合も、長尺部材８は導電性と可撓性を有するため、上述の作用及び効果が同様に発揮される。
【００３７】
ここで、スイッチギヤ用電力仮供給箱１を用いた電力の仮供給方法について図５を用いて具体的に説明する。なお、図５は本発明に係る電力の仮供給方法の手順の一例を示したフローチャートである。
スイッチギヤ５２の点検や修繕工事等を行う場合、図５に示すように、まず、スイッチギヤ５２に対する電力の供給を停止する（ステップＳ１）。次に、スイッチギヤ５２の筐体の扉を開けて、負荷側断路器６０ｂと顧客用地中線６３のケーブルヘッド６３ａを接続している銅帯６５を取り外す（ステップＳ２）。
【００３８】
上記扉をスイッチギヤ５２の筐体から取り外した後、その扉が取り付けられていた箇所に仮扉３を取り付けるようにして、スイッチギヤ用電力仮供給箱１を設置する（ステップＳ３及びステップＳ４）。
そして、後面２ｂに設けられた３つの貫通孔４ａを通して、スイッチギヤ５２への電力の供給が停止されている状態の移動機器に接続された３本の移動ケーブル１０を筐体２の内部にそれぞれ挿入した後、３本の接続ケーブル６の後端に３本の移動ケーブル１０をそれぞれ接続する（ステップＳ５）。
【００３９】
さらに、３本の長尺部材８の両端を顧客用地中線６３のケーブルヘッド６３ａと３本の接続ケーブル６の先端に接続する（ステップＳ６）。これにより、移動機器と顧客用地中線６３が導通した状態になる。そこで、移動機器を稼働させて顧客用地中線６３に電力を供給する（ステップＳ７）。
このようにスイッチギヤ用電力仮供給箱１を用いることによれば、スイッチギヤ５２の筐体の扉に開口部が設けられていない場合でも、スイッチギヤ５２を停電した状態で顧客用地中線６３に移動機器等の移動ケーブル１０を接続して顧客に電力を仮供給する作業を短時間で安全に行うことができる。
【００４０】
なお、スイッチギヤ５２の筐体に開口部が設けられている場合には、筐体２から仮扉３を取り外した状態のスイッチギヤ用電力仮供給箱１を使用すれば良いため、ステップＳ３の工程は不要となる。この場合もスイッチギヤ用電力仮供給箱１を用いた電力の仮供給方法によって発揮される上述の作用及び効果は同様に発揮される。
【産業上の利用可能性】
【００４１】
本発明のスイッチギヤ用電力仮供給箱及びそれを用いた顧客への電力の仮供給方法は、顧客に電力を供給する専用線が地中線の場合だけでなく、架空線の場合にも適用可能である。
【符号の説明】
【００４２】
１…スイッチギヤ用電力仮供給箱  ２…筐体  ２ａ…前面  ２ｂ…後面  ２ｃ…上面  ２ｄ…側面  ３…仮扉  ３ａ…ドアノブ  ３ｂ…開口部  ４ａ…貫通孔  ４ｂ…開口部  ５ａ，５ｂ…ブラケット  ６…接続ケーブル  ７…碍子  ８…長尺部材  ８ａ…導体  ８ｂ…端子部  ９ａ，９ｂ…保持具  １０…移動ケーブル  １１…ネジ穴  １２…蓋  ５０…配電線  ５１…主変圧器  ５２…スイッチギヤ  ５３ａ〜５３ｄ…隔室  ５４…母線  ５５…遮断器  ５６…避雷器  ５７…計器用変成器  ５８ａ，５８ｂ…電源側断路器  ５９ａ，５９ｂ…遮断器  ６０ａ，６０ｂ…負荷側断路器  ６１ａ，６１ｂ…３相電力ケーブル  ６２…架空線  ６３…顧客用地中線  ６３ａ…ケーブルヘッド  ６４…碍子  ６５…銅帯  ６６…底板  
【図１】
2020145879.tif 000003
【図２】
2020145879.tif 000004
【図３】
2020145879.tif 000005
【図４】
2020145879.tif 000006
【図５】
2020145879.tif 000007
【図６】
2020145879.tif 000008